【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
支払いカードの保有者のロイヤリティに見返りを与えるネットワークシステムであって、
金融機関により維持されるクレジット口座に関連付けられたクレジットトランザクションを伝送するオープンネットワークと、
スポンサにより維持されるストアードバリュー口座に関連付けられたストアードバリュートランザクションを伝送するクローズドネットワークと、
クレジット口座に関連付けられた前記クレジットトランザクションを容易にするとともにストアードバリュー口座に関連付けられた前記ストアードバリュートランザクションをさらに容易にするデュアルカードと、
前記オープンネットワークから前記クローズドネットワークへ伝送する情報を提供するデュアルカードサポートセンタとからなり、前記デュアルカードサポートセンタは、前記デュアルカードの前記クレジットトランザクションに基づくロイヤリティバリューを計算する動作を行うことが可能であり、前記ロイヤリティーバリューは、前記デュアルカードの前記ストアードバリュー口座のロードに使用されることを特徴とするネットワークシステム。
【請求項２】
前記デュアルカードサポートセンタはさらに、前記金融機関により作成されるリベートファイルを受け取る動作を行うことが可能であり、
前記リベートファイルは前記クレジットトランザクションに基づくリベートを含み、前記リベートファイルは前記ロイヤリティバリューの計算を助けるために使用される請求項１のシステム。
【請求項３】
前記デュアルカードサポートセンタはさらに、前記スポンサのストアードバリュープロセッサにより作成されるストアードバリュートランザクションファイルを受け取る動作を行うことが可能であり、前記ストアードバリュートランザクションファイルは、前記ロイヤリティバリューの計算を助けるために使用される請求項１のシステム。
【請求項４】
前記スポンサのプロセッサは、前記ロイヤリティバリューに基づいて慈善団体にある金額を寄付する請求項１のシステム。
【請求項５】
前記スポンサのプロセッサは、前記ロイヤリティバリューに基づいて前記デュアルカードの保有者に商品を送る請求項１のシステム。
【請求項６】
デュアルカードのカード保有者に見返りを与えるためにコンピュータで実施される方法であって、
１以上のコンピュータ装置を備えるデュアルカードサポートセンタにより、前記デュアルカードのクレジットトランザクションから及び前記デュアルカードのストアードバリュートランザクションからのロイヤリティーバリューと、少なくともオープンネットワーク上の一部で実行され、かつ、金融機関により維持されるクレジット口座に関連付けられた前記クレジットトランザクションと、クローズドネットワーク上で実行され、かつ、スポンサにより維持されるストアードバリュー口座に関連付けられた前記ストアードバリュートランザクションとを計算することと、
前記デュアルカードのストアードバリュー口座に、前記計算されたロイヤリティバリューをロードすることとからなる方法。
【請求項７】
前記クレジットトランザクションが最初のクレジットトランザクションを含む場合には、最初のトランザクションプレミアムファイルを作成することをさらに行う請求項６の方法。
【請求項８】
前記クレジットトランザクションごとにリベート額を発生することをさらに行う請求項６の方法。
【請求項９】
前記デュアルカードのストアードバリュー口座が一定の値を下回っている場合には、自動的に行われる前記クレジットトランザクションごとにリベート額を発生することをさらに行う請求項６の方法。
【請求項１０】
前記スポンサによる慈善団体への寄付を行い、または前記デュアルカードの前記カード保有者へ商品を１つ発送することをさらに行う請求項６の方法。
【請求項１１】
デュアルカードのカード保有者に見返りを与える方法を実行するために記憶されたインストラクションを有するコンピュータ可読媒体であって、
デュアルカードサポートセンタにより、前記デュアルカードのクレジットトランザクションから及び前記デュアルカードのストアードバリュートランザクションからのロイヤリティーバリューと、少なくともオープンネットワーク上の一部で実施され、かつ、金融機関により維持されるクレジット口座に関連付けられた前記クレジットトランザクションと、クローズドネットワーク上で実行され、かつ、スポンサにより維持されるストアードバリュー口座に関連付けられた前記ストアードバリュートランザクションとを、計算することと、
前記デュアルカードのストアードバリュー口座に、前記計算されたロイヤリティバリューまでをロードすることのインストラクションを有するコンピュータ可読媒体。
【請求項１２】
前記クレジットトランザクションが最初のクレジットトランザクションを含む場合には、最初のトランザクションプレミアムファイルを作成することをさらに備える請求項１１のコンピュータ可読媒体。
【請求項１３】
前記クレジットトランザクションごとにリベート額を発生することをさらに備える請求項１１のコンピュータ可読媒体。
【請求項１４】
前記スポンサにより慈善団体へされる寄付を発生すること、または前記デュアルカードの前記カード保有者へ送付される一部の商品を発生させることをさらに備える請求項１１のコンピュータ可読媒体。
【請求項１５】
デュアルカードに使用する能力を提供するためにコンピュータに実装されるシステムであって、
金融機関により維持されるクレジット口座に関連付けられたクレジットトランザクションを伝送するオープンネットワークと、
スポンサにより維持されるストアードバリュー口座に関連付けられたストアードバリュートランザクションを伝送するクローズドネットワークと、
前記クレジットトランザクションを処理するために前記金融機関に関連付けられたクレジットカードプロセッサと、
前記ストアードバリュートランザクションを処理するために前記スポンサに関連付けられたストアードバリュープロセッサと、
前記オープンネットワークまたは前記クローズドネットワーク上で実行されるトランザクションに関連付けられた商品またはサービスに対する支払いに使用することが可能なデュアルカードと、
前記スポンサにより維持され、かつ、前記オープンネットワーク、前記クローズドネットワーク、前記クレジットカードプロセッサ及び前記ストアードバリュープロセッサの間を伝送する情報を提供して、前記デュアルカードをサポートするデュアルカードサポートセンターとを備え、
前記デュアルカードサポートセンターは、前記スポンサにより前記デュアルカードのカード保有者に見返りを与えるように定められたロイヤリティプログラムを実行することが可能であることを特徴とするシステム。
【請求項１６】
前記クレジットカードプロセッサは、前記デュアルカードのクレジット口座と関係付けられたクレジット支払いトランザクションを処理する請求項１５のシステム。
【請求項１７】
前記ストアードバリュープロセッサは、前記デュアルカードのストアードバリュー口座と関係付けられたストアードバリュー支払いトランザクションを処理する請求項１５のシステム。
【請求項１８】
スポンサ店舗に置かれたＰＯＳ装置をさらに備え、前記ＰＯＳ装置は、クレジット支払いトランザクションまたはストアードバリュー支払いトランザクションのどちらがカード保有者により所望されたかを検出する動作を行うことが可能である請求項１５のシステム。
【請求項１９】
前記デュアルカードサポートセンタは、スポンサ店舗に置かれたＰＯＳ装置から伝送されるクレジット支払いトランザクションを前記クローズドネットワークを介して受け取る動作を行うことが可能である請求項１５のシステム。
【請求項２０】
デュアルカードの使用のためにコンピュータで実施される方法であって、
１以上のコンピュータ装置を備えたデュアルカードサポートセンタで、前記デュアルカードで作成されたクレジットカードトランザクションに関連するクレジットカードトランザクションファイルを受け取り、前記クレジットカードトランザクションファイルは、金融機関により維持され、
前記デュアルカードサポートセンターで、前記デュアルカードで作成されたストアードバリューカードトランザクションに関連付けられたストアードバリューカードトランザクションファイルを受け取り、前記ストアードバリューカードトランザクションファイルは、前記デュアルカードのスポンサにより維持され、
前記クレジットカードトランザクションファイル及び前記ストアードバリューカードトランザクションファイルからの情報に基づいてロイヤリティーバリューを計算し、
前記デュアルカードのストアードバリュー口座に計算したロイヤリティーバリューをロードすることを特徴とする方法。
【請求項２１】
前記クレジットカードトランザクションは、オープンネットワーク上の一部で実行される請求項２０の方法。
【請求項２２】
前記ストアードバリューカードトランザクションは、クローズドネットワーク上で実行される請求項２１の方法。
【請求項２３】
前記デュアルカードサポートセンターは、前記スポンサにより維持され、かつ、前記オープンネットワークまたは前記クローズドネットワーク上にトランザクションを伝送するプロセッサを有している請求項２２の方法。
【請求項２４】
前記ストアードバリュー口座は、前記スポンサにより維持される請求項２０の方法。
【請求項２５】
前記ストアードバリューカードトランザクションファイルは、ストアードバリューカードプロセッサからクローズドネットワーク上で受け取られ、前記ストアードバリュープロセッサは、前記スポンサにより維持される請求項２０の方法。
【請求項２６】
前記クレジットカードトランザクションファイルは、オープンネットワーク上で実行されるクレジットカードプロセッサから受け取られ、前記クレジットカードプロセッサは、前記金融機関により維持される請求項２５の方法。
【請求項２７】
デュアルカードの使用のためにコンピュータで実施される方法であって、
１以上のコンピュータ装置を備えるデュアルカードサポートセンタにより、前記デュアルカードのクレジットトランザクション及びストアードバリュートランザクションからロイヤリティーバリューを計算し、前記デュアルカードサポートセンタは、前記デュアルカードのスポンサに関連付けられ、
前記デュアルカードの前記スポンサにより維持されるストアードバリュー口座に、前記計算されたロイヤリティーバリューをロードすることを特徴とする方法。
【請求項２８】
前記クレジットトランザクションは、金融機関により維持されるクレジットカードプロセッサにより処理され、前記クレジットカードトランザクションに関する情報は前記クレジットカードプロセッサから前記デュアルカードサポートセンタに提供される請求項２７の方法。
【請求項２９】
前記ストアードバリューカードトランザクションは、前記スポンサにより維持されるストアードバリューカードプロセッサにより処理され、かつ、前記ストアードバリューカードトランザクションに関する情報は、前記ストアードバリューカードプロセッサから前記デュアルカードサポートセンタに提供される請求項２８の方法。
【請求項３０】
前記ロイヤリティーバリューは、前記スポンサーに関連付けられた店舗でのみ償還可能である請求項２９の方法。
【請求項３１】
前記ロイヤリティーバリューは、前記スポンサに関連付けられた店舗でストアードバリューカードトランザクションの一部として償還可能である請求項２９の方法。